(57)【要約】【課題】傘に趣味性や娯楽性を持たせ、雨の日を楽しめる傘を提供する。【解決手段】折り畳んだ傘地２を被覆可能な水滴防止カバー１０が取り付けられ、先端に軸取付け具２０が取り付けられた傘であって、軸取付け具２０は、軸取付け具２０の本体部分を構成する支持筒２１と、支持筒２１の内部に形成され、傘１の軸３が入って傘１の軸３を軸取付け具２０に固定する取付筒２２と、傘１の軸方向において、取付筒２２と支持筒２１の先端との間に形成された空洞２５と、支持筒２１の先端に取り付けられたキャップ３０と、空洞２５に収容された吸水性部材４０とを備え、吸水性部材４０は球形であり、空洞２５内に流入した水滴を吸収し直径の大きな球体になり、支持筒２１は、吸水性部材４０を外部から視認できるように透明部分がある。【選択図】図７
2020171673.tif 000002
【特許請求の範囲】
【請求項１】
折り畳んだ傘地を被覆可能な水滴防止カバーが取り付けられ、先端に軸取付け具が取り付けられた傘であって、
前記軸取付け具は、
前記軸取付け具の本体部分を構成する支持筒と、
前記支持筒の内部に形成され、前記傘の軸が入って前記傘の軸を前記軸取付け具に固定する取付筒と、
前記傘の軸方向において、前記取付筒と前記支持筒の先端との間に形成された空洞と、
前記支持筒の先端に取り付けられたキャップと、
前記空洞に収容された吸水性部材とを備え、
前記吸水性部材は球形であり、前記空洞内に流入した水滴を吸収し直径の大きな球体になり、
前記支持筒は、前記吸水性部材を外部から視認できるように透明部分があることを特徴とする傘。
【請求項２】
前記傘の軸方向において、前記支持筒内の空間は水滴受け部で仕切られており、前記水滴受け部に複数の穴が形成されている請求項１に記載の傘。
【請求項３】
前記水滴防止カバーに、水滴キャッチャーが取り付けられており、前記水滴防止カバーに付着した水滴は、前記水滴キャッチャー及び前記水滴防止カバーに形成された穴を経て、前記支持筒内に流入する請求項１又は２に記載の傘。
【請求項４】
前記キャップと前記支持筒との間に、円板状のパッキンを介在させている請求項１から３のいずれかに記載の傘。
【請求項５】
前記キャップに光源が配置されており、前記光源で前記吸水性部材を照らすことができる請求項１から４のいずれかに記載の傘。
【発明の詳細な説明】
【技術分野】
【０００１】
本発明は、折り畳んだ傘地を被覆可能な水滴防止カバーが取り付けられた傘であって、先端に吸水性部材を有する傘に関する。
【背景技術】
【０００２】
従来から水滴防止カバーが取り付けられた傘が知られている（例えば特許文献１参照)。特許文献１に記載の傘は、傘の先端の土突き部に水受け部を有し、その水受け部の上側に、径の異なる複数の筒状体を順次嵌合して、伸縮自在に構成された水滴防止カバーが設けられている。この傘を使用する際には、複数の筒状体を折り畳んで傘の先端部分に収束してから傘を開き、傘を使用した後は、傘を畳んでから複数の筒状体を延ばして傘地を被覆する。
【０００３】
また、特許文献１に記載の傘においては、先端に軸取付け具を備え、軸取付け具の空洞にスポンジのような吸水性部材を充填しているので、傘を使用する際に傘地を広げようとして先端を上向きにした際に、水が落下して手を濡らすことを防ぐようにしている。
【０００４】
吸水性部材に関しては、特許文献２にも、傘の先端の内側に着脱式の高吸水性樹脂の入ったカプセルを取り付けることが提案されている。特許文献２に記載の傘によれば、カプセル内の高吸水性樹脂に水滴が吸収されるので、傘に付いた雨水が先端からこぼれ落ちるのを防止することができる。
【先行技術文献】
【特許文献】
【０００５】
【特許文献１】特開２０１３−０２７６８９号公報
【特許文献２】実開平３−５８１１４号公報
【発明の概要】
【発明が解決しようとする課題】
【０００６】
しかしながら、特許文献１及び２に記載の傘は、吸水性部材を用いることにより、水の落下を防止するようにしているが、吸水性部材をその本来的機能である吸水の目的に使用するに留まっていた。また、吸水性部材を用いて水の落下を防止しても、傘を本来的機能である雨を受ける道具として使用することには変わりはなく、特許文献１及び２のいずれにも、傘を人を楽しませる道具として活用することへの着眼は見当たらなかった。
【０００７】
本発明は、前記のような従来の傘の現状に鑑み、傘に趣味性や娯楽性を持たせ、雨の日を楽しめる傘を提供することを目的とする。
【課題を解決するための手段】
【０００８】
前記目的を達成するために、本発明の傘は、折り畳んだ傘地を被覆可能な水滴防止カバーが取り付けられ、先端に軸取付け具が取り付けられた傘であって、前記軸取付け具は、前記軸取付け具の本体部分を構成する支持筒と、前記支持筒の内部に形成され、前記傘の軸が入って前記傘の軸を前記軸取付け具に固定する取付筒と、前記傘の軸方向において、前記取付筒と前記支持筒の先端との間に形成された空洞と、前記支持筒の先端に取り付けられたキャップと、前記空洞に収容された吸水性部材とを備え、前記吸水性部材は球形であり、前記空洞内に流入した水滴を吸収し直径の大きな球体になり、前記支持筒は、前記吸水性部材を外部から視認できるように透明部分があることを特徴とする。
【０００９】
前記本発明の傘によれば、吸水性部材を外部から視認できることにより、吸水性部材が水滴を吸収し徐々に大きくなる様子を観察できる。このことにより、使用者は吸水性部材を育てる感覚が生じ、雨の日が楽しくなる効果が生じる。すなわち、本発明に係る傘は、傘に趣味性や娯楽性を持たせ、雨の日を楽しめる傘であるということができる。
【００１０】
また、吸水性部材が大きくなると、吸水性部材の交換や、吸水性部材の数を減らすといった調整が必要になるが、本発明では、吸水性部材が大きくなる様子を観察できるので、調整の時期を容易に把握することができる。さらに、吸水性部材を外部から視認できるので、空洞内において、吸水性部材で吸水されていない水の量も視認でき、不用意に傘を持ち上げて床及び手を濡らすことも防止できる。
【００１１】
前記本発明の傘においては、前記傘の軸方向において、前記支持筒内の空間は水滴受け部で仕切られており、前記水滴受け部に複数の穴が形成されていることが好ましい。この構成によれば、水滴受け部には支持筒の径方向に延びる肉厚部分を確保できる。このことにより、吸水性部材の収容空間としての空洞を閉じた空間とすることができるとともに、支持筒の強度確保に有利になることに加え、穴の個数や大きさの設定の自由度が高まり、簡素な構造で最適な個数や大きさの水抜き穴及び空気抜き穴を形成することができる。
【００１２】
また、前記水滴防止カバーに、水滴キャッチャーが取り付けられており、前記水滴防止カバーに付着した水滴は、前記水滴キャッチャー及び前記水滴防止カバーに形成された穴を経て、前記支持筒内に流入することが好ましい。この構成によれば、水滴防止カバーの外表面に付着した水滴も支持筒内の空洞に導くことができる。また、水滴キャッチャーは、支持筒や筒状体とは別に設けた独立した部品であるので、支持筒や筒状体とは別の材料で形成することができ、ゴム等の柔軟性の高い材料で形成することにより、破損を防止することができる。さらに、水滴キャッチャーは筒状体に取り付ける構造であるので、水滴キャッチャーの有無の仕様間で軸取付け具の構造に変わりはなく、軸取付け具は共用できるので、生産性にも有利になる。
【００１３】
これらに加えて、水滴キャッチャーを設けたことにより、傘を差した状態において、複数の筒状体が重なり合った水滴防止カバーの上部に雨水が浸入することを防止することができる。この場合、水滴防止カバーを伸長したときに、水滴防止カバーの表面からの水滴の床への落下を最小限に抑えることができる。
【００１４】
また、前記キャップと前記支持筒との間に、円板状のパッキンを介在させていることが好ましい。この構成によれば、キャップを支持筒に取り付けることにより、パッキンの表面が支持筒で押圧されて、シール性が強化される。パッキンを円板状部材とすることにより、位置決め等の取り付け作業が容易かつ確実になり、シール性能も安定する。
【００１５】
さらに、前記キャップに光源が配置されており、前記光源で前記吸水性部材を照らすことができることが好ましい。この構成によれば、吸水性部材は内部に水分を含んでいるので、吸水性部材を照らすことにより、独特の視覚的効果が得られる。このことにより、傘の趣味性や娯楽性の効果が一層高まることになる。また、吸水性部材を照らすことにより、視認性が高まるので安全対策にもなる。
【発明の効果】
【００１６】
本発明の効果は前記のとおりであり、吸水性部材を外部から視認できることにより、吸水性部材が水滴を吸収し徐々に大きくなる様子を観察できる。このことにより、使用者は吸水性部材を育てる感覚が生じ、雨の日が楽しくなる効果が生じる。すなわち、本発明に係る傘は、傘に趣味性や娯楽性を持たせ、雨の日を楽しむことができる。また、吸水性部材が大きくなると、吸水性部材の交換や、吸水性部材の数を減らすといった調整が必要になるが、本発明では、吸水性部材が大きくなる様子を観察できるので、調整の時期を容易に把握することができる。さらに、吸水性部材を外部から視認できるので、空洞内において、吸水性部材で吸水されていない水の量も視認でき、不用意に傘を持ち上げて床及び手を濡らすことも防止できる。
【図面の簡単な説明】
【００１７】
【図１】本発明の一実施形態に係る傘の外観図。
【図２】図１の状態から水滴防止カバーを縮短した状態を示す外観図。
【図３】図２の状態から傘地を開いた状態を示す外観図。
【図４】図１の縦断面図。
【図５】本発明の一実施形態に係る水滴防止カバーの上部側の部分拡大図。
【図６】本発明の一実施形態に係る水滴防止カバーを縮短した状態を示す断面図。
【図７】本発明の一実施形態に係る軸取付け具の近傍の拡大断面図。
【図８】図７のＣＣ線における断面図。
【図９】本発明の一実施形態に係る軸取付け具の分解状態を示す断面図。
【図１０】本発明の一実施形態に係る軸取付け具の内部を示す分解斜視図。
【図１１】本発明の第２の実施形態に係る軸取付け具の近傍の拡大断面図。
【図１２】本発明の第３の実施形態に係るキャップの近傍の断面図。
【発明を実施するための形態】
【００１８】
以下、図面を参照しながら本発明の一実施形態について説明する。図１は、本発明の一実施形態に係る傘１の外観図を示している。傘１には水滴防止カバー１０が取付けられており、折り畳まれた傘地２は水滴防止カバー１０で被覆されている。水滴防止カバー１０は、径の異なる複数の筒状体１１を順次嵌合して、伸縮自在に構成されている。詳細は後に説明するとおり、傘１の先端には軸取付け具２０が取付けられており、軸取付け具２０の先端にはキャップ３０が取付けられている。
【００１９】
図２は、図１の状態から水滴防止カバー１０を縮短した状態を示す外観図であり、図３は、図２の状態から傘地２を開いた状態を示す外観図である。図２の状態では、水滴防止カバー１０を構成する複数の筒状体１１は、最上部の最も径の大きい筒状体１１に他の筒状体１１が収納されることにより、水滴防止カバー１０が縮短している。この状態では、図３に示したように、傘地２は筒状体１１に干渉することなく開くことができる。
【００２０】
以下、図４〜６を参照しながら、水滴防止カバー１０について説明する。図４は図１の縦断面図である。図５は、水滴防止カバー１０の上部側の部分拡大図であり、図６は水滴防止カバー１０を縮短した状態を示す断面図である。図５にはＡ部の拡大図を示しており、図６にはＢ部の拡大図を示している。図４及び図５に示したように、水滴防止カバー１０は、複数の円筒状の筒状体１１で構成されており、筒状体１１は、例えばポリプロピレン等のように可撓性を有する比較的軟質なプラスチック材で形成されている。
【００２１】
図４及び図５は、水滴防止カバー１０が伸長し切った状態を示している。図５に示したように、最上部の筒状体１１ａの外径に比べ、その下側の筒状体１１ｂの外径は小さくなっており、筒状体１１は下側に向かうにつれて外径が小さくなっている。以下、筒状体１１同士の係合関係について、筒状体１１ｂ及び筒状体１１ｃを例にして説明するが、他の筒状体１１についても同様である。
【００２２】
図５の筒状体１１ｃにおいて、筒状体１１ｃの上端の外周には、筒状体１１の外側に凸になった外突縁１３が外周に沿って形成されており、筒状体１１ｃの上端の内周には、筒状体１１ｃの内側に凸になった内突縁１４が内周に沿って形成されている。また、筒状体１１ｃにおいて、内突縁１４の下側には、筒状体１１ｃの内側に凸になった係合突起１５が内周に沿って形成されている。一方、筒状体１１ｃの上側の筒状体１２ｂの下端には、筒状体１２ｂの内側に凸になった内突縁１６が内周に沿って形成されている。
【００２３】
図５のように、水滴防止カバー１０が伸長し切った状態では、筒状体１１ｂの下端の内突縁１６に、その下側の筒状体１１ｃの上端の外突縁１３が係合している。この構成では、係合部分の寸法関係を適宜設定することにより、筒状体１２のずり落ち（図１の矢印Ｙ１方向）を防止することができる。
【００２４】
一方、図６のように、水滴防止カバー１０が縮短し切った状態では、筒状体１１ｂの内突縁１４と係合突起１５との間に、筒状体１１ｃの外突縁１３が係合し、複数の筒状体１１が同心円状に配置されている。この構成によれば、筒状体１１同士の係合がより確実になるので、図２の状態から傘地２を開くために、傘１の先端を上側にしたときに、筒状体１１のずり落ち（図２のＹ２方向）を防止することができる。
【００２５】
次に、図７〜１０を参照しながら、軸取付け具２０について説明する。図７は、軸取付け具２０の近傍の拡大断面図であり、図８は図７のＣＣ線における断面図である。図９は軸取付け具２０から傘１の軸３及びキャップ３０を取り外した分解状態を示す断面図であり、図１０は軸取付け具２０の内部を示す分解斜視図である。
【００２６】
図７において、軸取付け具２０は、支持筒２１内に取付筒２２を備えており、取付筒２２と支持筒２１の先端との間に空洞２５が形成されている。取付筒２２に傘１の軸３が差し込まれており、傘１の先端に軸取付け具２０が固定されている。取付筒２２の上部の外周面には、水滴ガイド２４の内周面が嵌め合わされている。詳細は後に説明するとおり、空洞２５は、傘１に付着した水滴を貯える部分であり、この水滴は空洞２５内の吸水性部材４０に吸収される。傘１の軸３は、取付筒２２に完全に固定されている必要はなく、軸３が取付筒２２から取り外し可能な程度の嵌合により固定されていてもよい。
【００２７】
支持筒２１の水滴防止カバー１０側の端部の外周には、外側に凸になった外突縁２７が外周に形成されており、水滴防止カバー１０を構成する筒状体１１のうち、最も径の小さい筒状体１１ｄの先端の内周には、筒状体１１ｄの内側に凸になった内突縁１７が内周に沿って形成されている。図７のように、水滴防止カバー１０が伸長し切った状態では、外突縁２７と内突縁１７とが係合するので、支持筒２１が水滴防止カバー１０から抜けることはない。
【００２８】
図８に示したように、軸取付け具２０は、支持筒２１と取付筒２２とがリブ２３を介して一体になっている。傘１は杖として用いられる場合もあり、軸取付け具２０の材料は強度が高く壊れにくい材料が好ましい。軸取付け具２０の材料として、例えばポリエチレン、ポリ塩化ビニル、ＡＢＳ（アクリロニトリル・ブタジエン・スチレン）、アクリル、ポリアミド、ポリアセタール、ＰＢＴ（ポリブチレンテレフタレート）等の樹脂材料が挙げられる。
【００２９】
図７に示したように、支持筒２１の先端には、キャップ３０が取り付けられている。キャップ３０を取り外すことにより、吸水性部材４０の交換が可能になる（図９、図１０参照）。また、図７に示したように、キャップ３０の外径を支持筒２１の外径よりも大きくしておけば、キャップ３０がストッパとなり、筒状体１１の抜けを防止できるので、水滴防止カバー１０の縮短時に水滴防止カバー１０が傘１の本体から外れることを防止できる。
【００３０】
キャップ３０の取り付け構造は、例えばねじ同士の螺合が挙げられる。キャップ３０の役割は、吸水性部材４０の交換だけではなく、支持筒２１からの水漏れを防止する役割と石突きとしての役割とがある。このため、キャップ３０の材料は、密閉性及び強度が高く、かつ弾力性がある材料が適しており、例えば合成ゴムを含むゴム製が好ましい。キャップ３０の材料を使い捨て可能な材料としてもよいが、支持筒２１に繰り返し着脱可能（再利用可能）な材料とすることが好ましい。
【００３１】
また、図７の例では水漏れ防止をより強化するために、キャップ３０と支持筒２１との間にパッキン５０を介在させている。キャップ３０を支持筒２１に取り付けることにより、パッキン５０の表面が支持筒２１で押圧されて、シール性が強化される。パッキン５０を円板状部材とすることにより、位置決め等の取り付け作業が容易かつ確実になり、シール性能も安定する。
【００３２】
図７において、取付筒２２の下端には水滴受け部２６が形成されており、傘１の軸方向において、支持筒２１内の空間は水滴受け部２６で仕切られている。図８に示したように、水滴受け部２６は取付筒２２を囲む環状に形成されている。水滴受け部２６には、複数の穴２７が形成されている。穴２７は複数あるので、水抜き穴としての役割を果たすものと空気抜き穴としての役割を果たすものとがある。図７において、傘地２に付着した水滴は、傘地２及び水滴ガイド２４に沿って落下し又は水滴防止カバー１０内の気中に落下して（矢印ａ）、支持筒２１内に落下する。支持筒２１内に落下した水滴は、穴２７（図８参照）を経て、空洞２５内に落下する。この水滴は空洞２５内の吸水性部材４０に吸収される。
【００３３】
すなわち、本実施形態に係る傘１によれば、折り畳まれた傘地２は水滴防止カバー１０で被覆することができ、この状態では傘地２に付着した水滴は、水滴防止カバー１０内に留まることになる。そして、傘地２から落下する水滴は、空洞２５内の吸水性部材４０に吸収されるので、水滴が床を濡らすことを防止することができる。水滴が吸水性部材４０に吸収されると、水滴は吸水性部材４０内に留まり続ける。このため、傘１を使用する際に、先端を上側にしても水滴は吸水性部材４０に吸収されているので、水滴の逆流を防止することができる。
【００３４】
また、前記のとおり、傘１の軸方向において、支持筒２１内の空間は水滴受け部２６で仕切られているので、水滴受け部２６には支持筒２１の径方向に延びる肉厚部分を確保できる。このことにより、吸水性部材４０の収容空間としての空洞２５を閉じた空間とすることができるとともに、支持筒２１の強度確保に有利になることに加え、穴２７の個数や大きさの設定の自由度が高まり、簡素な構造で最適な個数や大きさの水抜き穴及び空気抜き穴を形成することができる。
【００３５】
図７において、取付筒２２は、傘１の軸３を取付け可能な長さが確保されていればよく、空洞２５は数十粒程度の吸水性部材４０を収容可能な長さが確保されていればよい。支持筒２１内における取付筒２２の占める割合は適宜決定すればよく、支持筒２１の軸方向において、取付筒２２の長さは、支持筒２１の略半分でもよく、略３分の１でも略４分の１でもよく、略半分以上としてもよい。
【００３６】
以下、吸水性部材４０及びその効果について、具体的に説明する。吸水性部材４０は球形の高分子吸収体（吸水性樹脂）であり、空洞２５内に流入した水滴を吸収し直径の大きなゼリー状の球体になる。例えば直径２〜３ｍｍ程度の球体が水滴を徐々に吸収することにより、直径１〜２ｃｍ程度のゼリー状の球体になる。
【００３７】
本実施形態では、支持筒２１は吸水性部材４０を外部から視認できる程度の透明部分を有している。透明部分は支持筒２１全体でもよく、空洞２５部分だけでもよく、空洞２５部分の一部であってもよい。吸水性部材４０を外部から視認できることにより、吸水性部材４０が水滴を吸収し徐々に大きくなる様子を観察できる。このことにより、使用者は吸水性部材４０を育てる感覚が生じ、雨の日が楽しくなる効果が生じる。すなわち、本実施形態に係る傘１は、傘に趣味性や娯楽性を持たせ、雨の日を楽しめる傘であるということができる。吸水性部材４０は着色可能であるので、吸水性部材４０の色の選択や複数色の吸水性部材４０を混在させることにより、前記効果は一層高まる。
【００３８】
また、吸水性部材４０が大きくなると、吸水性部材４０の交換や、吸水性部材４０の数を減らすといった調整が必要になるが、本実施形態では、吸水性部材４０が大きくなる様子を観察できるので、調整の時期を容易に把握することができる。さらに、吸水性部材４０を外部から視認できるので、空洞２５内において、吸水性部材４０で吸水されていない水の量も視認でき、不用意に傘１を持ち上げて床及び手を濡らすことも防止できる。
【００３９】
前記のとおり、吸水性部材４０の交換時期は容易に把握でき、空洞２５が吸水性部材４０で満たされると、キャップ３０を支持筒２１から取り外すことにより（図９、図１０参照）、吸水性部材４０を新たな吸水性部材４０に交換することができる。支持筒２１から取り出した径の大きくなった吸水性部材４０は、乾燥させると径が小さくなるので、再度支持筒２１内に戻して再利用することも可能である。
【００４０】
一方、支持筒２１から取り出した径の大きくなった吸水性部材４０は、別の用途で再利用することも可能である。例えば、金魚鉢等の水槽、コップ、透明な瓶等に入れることにより、インテリアとして活用できる。また、吸水性部材４０は水分を大量に含んでいるので、水耕栽培等の植物栽培や農業分野での活用も可能であり、ひいては砂漠の緑化促進のための活用可能性もある。さらに、玩具等の安全なピストルの弾としても活用可能である。
【００４１】
以下、本発明の第２の実施形態について説明する。図１１は本発明の第２の実施形態に係る軸取付け具２０の近傍の拡大断面図である。本図の構成は、第１の実施形態に係る図７の構成に比べ、水滴キャッチャー６０が追加されている点と、筒状体１１に水滴通過孔１８が形成されている点が異なっている。第１の実施形態の図７の構成は、空洞２５に落下する水滴は、水滴防止カバー１０の内側の水滴であるが、図１１の構成においては、水滴防止カバー１０の外表面に付着した水滴も空洞２５に導くことができる。
【００４２】
具体的には、図１１において、水滴キャッチャー６０は傘１の軸３と反対側が開口した水滴キャッチ部６１を有しており、開口と反対側の端部が筒状体１１に固定され、水滴キャッチ６１は筒状体１１の全周を囲んでいる。水滴キャッチ部６１に、水滴防止カバー１０の外表面に付着した水滴が落下する。水滴キャッチ部６１に落下した水滴は、水滴通過孔１８を経て支持筒２１内に流入し（矢印ｃ）、空洞２５に回収される（矢印ｂ）。
【００４３】
水滴キャッチャー６０は、支持筒２や筒状体１１とは別に設けた独立した部品であるので、支持筒２や筒状体１１とは別の材料で形成することができる。水滴キャッチャー６０は、傘１の横方向に延出し、かつ開口を有するので、破損し易い構造であるが、ゴム等の柔軟性の高い材料で形成することにより、破損を防止することができる。また、図１１のように水滴キャッチャー６０は筒状体１１に取り付ける構造であるので、水滴キャッチャー６０の有無の仕様間で軸取付け具２０の構造に変わりはなく、軸取付け具２０は共用できるので、生産性にも有利になる。
【００４４】
また、水滴キャッチャー６０を設けたことにより、図３のように傘１を差した状態において、複数の筒状体１１が重なり合った水滴防止カバー１０の上部に雨水が浸入することを防止することができる。この場合、図１のように水滴防止カバー１０を伸長したときに、水滴防止カバー１０の表面からの水滴の床への落下を最小限に抑えることができる。
【００４５】
次に、本発明の第３の実施形態について説明する。図１２は、本発明の第３の実施形態に係るキャップ３１の近傍の断面図である。第３の実施形態は、前記各実施形態に比べ、キャップ３１の構造が異なっている。キャップ３１の内周面側には中空の突起３５が形成されており、突起３５内にＬＥＤ等の光源３２が配置されているパッキン５１は、突起３５と干渉しないように、突起３５部分を切り欠いている。光源３２は電源であるバッテリ３３により点灯又は点滅する。バッテリ３３は、キャップ３１内に内蔵されており蓋３４を取り外すことにより交換可能である。図１２は電気配線の図示は省略しているが、電源のスイッチ等を適宜設ければよい。
【００４６】
図１２の構成によれば、光源３２で吸水性部材４０を照らすことができる。吸水性部材４０は、内部に水分を含んでいるので、吸水性部材４０を照らすことにより、独特の視覚的効果が得られる。このことにより、傘１の趣味性や娯楽性の効果が一層高まることになる。また、吸水性部材４０を照らすことにより、視認性が高まるので、図１２の構成は安全対策にもなる。
【００４７】
以上、本発明の一実施形態について説明したが、前記各実施形態は一例であり、適宜変更したものであってもよい。例えば、水滴防止カバー１０の筒状体１１同士の係合構造は、前記実施形態に限るものではなく、他の構造であってもよい。また、筒状体１１の外周面には、傘の軸方向に延びる滑り止め用の線状の突部を設けてもよく、筒状体１１や支持筒２には、安全対策のために反射部材を付加してもよく、タワーやロケット等をモチーフとした色彩や凸凹等による模様を施してもよい。
【００４８】
図７において、支持筒２１に前記のように模様を施す際には、この模様が筒体１１ｄの内突縁１７と擦れて、掠れたり消えないように、筒状体１１ｄの内突縁１７と支持筒２１の外周面との間に、あえて隙間を形成してもよい。この隙間は、支持筒２１の外形を筒状体１１ｄの内突縁１７の内径より小さくして形成してもよく、支持筒２１の一部の外形を小さくして形成してもよい。また、図８において、支持筒２１内のリブ２３は４方向に延びるものだけでなく、２方向や３方向等に延びるものでもよい。
【符号の説明】
【００４９】
１  傘
２  傘地
１０  水滴防止カバー
１１  筒状体
２０  軸取付け具
２１  支持筒
２２  取付筒
２５  空洞
２６  水滴受け部
３０，３１  キャップ
３２  光源
４０  吸水性部材
５０，５１  パッキン
６０  水滴キャッチャー
【図１】
2020171673.tif 000003
【図２】
2020171673.tif 000004
【図３】
2020171673.tif 000005
【図４】
2020171673.tif 000006
【図５】
2020171673.tif 000007
【図６】
2020171673.tif 000008
【図７】
2020171673.tif 000009
【図８】
2020171673.tif 000010
【図９】
2020171673.tif 000011
【図１０】
2020171673.tif 000012
【図１１】
2020171673.tif 000013
【図１２】
2020171673.tif 000014